(57)【特許請求の範囲】
【請求項１】
マルチアンテナ通信システムにおいて使用される通信方法であって、
プレコーディング伝送モードに設定される候補ユーザ設備の第１グループから１の候補ユーザ設備を第１ユーザ設備として選択し、ダイバーシティ伝送モードに設定される候補ユーザ設備の第２グループから１の候補ユーザ設備を第２ユーザ設備として選択し、
階層変調において使用される変調モード、レイヤマッピングにおいて使用される伝送レイヤの数、及びプレコーディングにおいて使用されるプレコーディングマトリクスを、前記第１ユーザ設備によって送信される第１チャネル品質情報、プレコーディングマトリクス情報及び第１伝送レイヤ数と、前記第２ユーザ設備によって送信される第２チャネル品質情報及び第２伝送レイヤ数とに従って決定し、
前記変調モード及び前記伝送レイヤの数に従って、前記第１ユーザ設備へ送信される第１ソースデータから第１シンボルシーケンスを生成し、
前記変調モード及び前記伝送レイヤの数に従って、前記第２ユーザ設備へ送信される第２ソースデータから第２シンボルシーケンスを生成し、
混合シンボルシーケンスを生成するよう、前記変調モードに従って前記第１シンボルシーケンス及び第２シンボルシーケンスを階層変調し、
伝送信号を生成するよう、前記プレコーディングマトリクス及び前記伝送レイヤの数に従って前記混合シンボルシーケンスに対してレイヤマッピング及びプレコーディングを行い、
前記第１ユーザ設備及び前記第２ユーザ設備へ前記伝送信号を送信し、前記第２ユーザ設備に前記プレコーディングマトリクス及び前記伝送レイヤの数を知らせる
通信方法。
【請求項２】
前記候補ユーザ設備の選択は、
前記候補ユーザ設備の第１グループ及び前記候補ユーザ設備の第２グループの夫々へリソースを割り当て、夫々の候補ユーザ設備に前記割り当てられるリソースを知らせ、
前記候補ユーザ設備の第１グループの夫々から送信される前記第１チャネル品質情報、前記プレコーディングマトリクス情報及び第１伝送レイヤ数を受信し、前記候補ユーザ設備の第２グループの夫々から送信される前記第２チャネル品質情報及び前記第２伝送レイヤ数を受信し、
前記候補ユーザ設備の第１グループから、該候補ユーザ設備の第１グループの中で最大値を有する第１チャネル品質情報の候補ユーザ設備を前記第１ユーザ設備として選択し、前記候補ユーザ設備の第２グループから、該候補ユーザ設備の第２グループの中で最大値を有する第２チャネル品質情報の候補ユーザ設備を前記第２ユーザ設備として選択する
ことを含む、請求項１に記載の通信方法。
【請求項３】
前記第２シンボルシーケンスの生成は、
符号化データを生成するよう前記第２ソースデータをエンコーディングし、
前記変調モード及び前記伝送レイヤの数に従って前記第２シンボルシーケンスの長さを計算し、
前記第２シンボルシーケンスを生成するよう、前記長さに従って前記符号化データをレートマッチングする
ことを含む、請求項１に記載の通信方法。
【請求項４】
前記第２シンボルシーケンスの生成は、
符号化データを生成するよう前記第２ソースデータをエンコーディングし、
第３シンボルシーケンスを生成するよう、前記マルチアンテナ通信システムによって定義されるレートマッチング方式に従って前記符号化データをレートマッチングし、
前記変調モード及び前記伝送レイヤの数に従って前記第２シンボルシーケンスの長さを計算し、
前記長さに従ってエンコーディングモードを選択し、
前記第２シンボルシーケンスを生成するよう、前記エンコーディングモードに従って前記第３シンボルシーケンスをエンコーディングする
ことを含む、請求項１に記載の通信方法。
【請求項５】
前記エンコーディングモードは、反復符号化、ビットレベル空間時間符号化、ターボ符号化、又は畳み込み符号化である、
請求項４に記載の通信方法。
【請求項６】
請求項１乃至４のうちいずれか一項に記載の通信方法を用いるマルチアンテナ通信システム。
【請求項７】
プレコーディング伝送モードに設定される候補ユーザ設備の第１グループから１の候補ユーザ設備を第１ユーザ設備として選択し、ダイバーシティ伝送モードに設定される候補ユーザ設備の第２グループから１の候補ユーザ設備を第２ユーザ設備として選択するユーザ設備選択部と、
階層変調において使用される変調モード、レイヤマッピングにおいて使用される伝送レイヤの数、及びプレコーディングにおいて使用されるプレコーディングマトリクスを、前記第１ユーザ設備によって送信される第１チャネル品質情報、プレコーディングマトリクス情報及び第１伝送レイヤ数と、前記第２ユーザ設備によって送信される第２チャネル品質情報及び第２伝送レイヤ数とに従って決定するパラメータ決定部と、
前記変調モード及び前記伝送レイヤの数に従って、前記第１ユーザ設備へ送信される第１ソースデータから第１シンボルシーケンスを生成する第１シンボルシーケンス生成部と、
前記変調モード及び前記伝送レイヤの数に従って、前記第２ユーザ設備へ送信される第２ソースデータから第２シンボルシーケンスを生成する第２シンボルシーケンス生成部と、
混合シンボルシーケンスを生成するよう、前記変調モードに従って前記第１シンボルシーケンス及び第２シンボルシーケンスを階層変調する階層変調部と、
伝送信号を生成するよう、前記プレコーディングマトリクス及び前記伝送レイヤの数に従って前記混合シンボルシーケンスに対してレイヤマッピング及びプレコーディングを行うプレコーディング部と、
前記第１ユーザ設備及び前記第２ユーザ設備へ前記伝送信号を送信し、前記第２ユーザ設備に前記プレコーディングマトリクス及び前記伝送レイヤの数を知らせる送信部と
を有する基地局。
【請求項８】
前記候補ユーザ設備選択部は、
前記候補ユーザ設備の第１グループ及び前記候補ユーザ設備の第２グループの夫々へリソースを割り当て、夫々の候補ユーザ設備に前記割り当てられるリソースを知らせるリソース割当部と、
前記候補ユーザ設備の第１グループの夫々から送信される前記第１チャネル品質情報、前記プレコーディングマトリクス情報及び第１伝送レイヤ数を受信し、前記候補ユーザ設備の第２グループの夫々から送信される前記第２チャネル品質情報及び前記第２伝送レイヤ数を受信する受信部と、
前記候補ユーザ設備の第１グループから、該候補ユーザ設備の第１グループの中で最大値を有する第１チャネル品質情報の候補ユーザ設備を前記第１ユーザ設備として選択し、前記候補ユーザ設備の第２グループから、該候補ユーザ設備の第２グループの中で最大値を有する第２チャネル品質情報の候補ユーザ設備を前記第２ユーザ設備として選択する選択部と
を有する、請求項７に記載の基地局。
【請求項９】
前記第２シンボルシーケンス生成部は、
符号化データを生成するよう前記第２ソースデータをエンコーディングするエンコーディング部と、
前記変調モード及び前記伝送レイヤの数に従って前記第２シンボルシーケンスの長さを計算する計算部と、
前記第２シンボルシーケンスを生成するよう、前記長さに従って前記符号化データをレートマッチングするレートマッチ部と
を有する、請求項７に記載の基地局。
【請求項１０】
前記第２シンボルシーケンス生成部は、
符号化データを生成するよう前記第２ソースデータをエンコーディングする第１エンコーディング部と、
第３シンボルシーケンスを生成するよう、マルチアンテナ通信システムによって定義されるレートマッチング方式に従って前記符号化データをレートマッチングするレートマッチ部と、
前記変調モード及び前記伝送レイヤの数に従って前記第２シンボルシーケンスの長さを計算する計算部と、
前記長さに従ってエンコーディングモードを選択するエンコーディングモード選択部と、
前記第２シンボルシーケンスを生成するよう、前記エンコーディングモードに従って前記第３シンボルシーケンスをエンコーディングする第２エンコーディング部と
を有する、請求項７に記載の基地局。
【請求項１１】
前記エンコーディングモードは、反復符号化、ビットレベル空間時間符号化、ターボ符号化、又は畳み込み符号化である、
請求項１０に記載の基地局。
【請求項１２】
マルチアンテナ通信システム又は情報処理システムが請求項１乃至５のうちいずれか一項に記載の通信方法を実行することを可能にするよう前記マルチアンテナ通信システム又は前記情報処理システムにおいて実行される機械読出可能なプログラムコードを有する記憶媒体。
【請求項１３】
マルチアンテナ通信システム又は情報処理システムが請求項１乃至５のうちいずれか一項に記載の通信方法を実行することを可能にするよう前記マルチアンテナ通信システム又は前記情報処理システムにおいて実行されるコンピュータプログラム。
【発明の詳細な説明】
【技術分野】
【０００１】
本発明は、無線通信技術に関し、特に、マルチアンテナ通信システム及びマルチ通信システムにおいて使用される通信方法に関する。
【背景技術】
【０００２】
階層変調技術の基本的な考えは、使用されるコンステレーション点（constellation  points）をベースレイヤ及びエンハンスメントレイヤ等のレイヤに分けることである。チャネル品質が悪い又は優先度が低いユーザ設備は、復調によりベースレイヤのコンステレーション点に含まれる情報しか得ることができず、一方、チャネル品質が良好である又は優先度が高いユーザ設備は、復調によりエンハンスメントレイヤのコンステレーション点に含まれる情報を得ることができる。
【０００３】
階層変調の基本原理は、“ベースデータストリーム”が従来の四位相偏移変調（ＱＰＳＫ）変調モードにおいて送信され、“エンハンスメントデータストリーム”が１６直交振幅変調（１６ＱＡＭ）モードにおいて送信されるところの例により説明される。図１は、階層変調の説明図を表す。図１において、“●（黒丸）”は、１６ＱＡＭのコンステレーション点であり、“×（バツ）”は、ＱＰＳＫのコンステレーション点である。ＱＰＳＫのコンステレーション点が（図１において破線円によって示される）大きなコンステレーション点とするならば、１６ＱＡＭのコンステレーション点の中の同じ象限内の４つのコンステレーション点は、その大きなコンステレーション点の中の小さなコンステレーション点と見なされてよい。このマッピングモードでは、チャネル品質が悪いユーザ設備は、識別能力の弱さにより、復調によりベースデータストリームを得るよう“大きなコンステレーション点”しか特定することができない。しかし、チャネル品質が良好であるユーザ設備は、識別能力の強さにより、その内部の「大きなコンステレーション点」及び「小さなコンステレーション点」の両方を特定することができる。
【０００４】
よって、特定のシンボルが受信される場合、チャネル品質が悪いユーザ設備は、復調により２ビットデータしか得ることができず、一方、チャネル品質が良好であるユーザ設備は、復調により４ビットデータを得ることができる。図１において表されるように、特定のシンボルが受信される場合、チャネル品質が悪いユーザ設備は、そのシンボルが第４象限における“大きなコンステレーション点”に位置することしか特定することができず、復調により“１０”のビットデータしか得られず、一方、チャネル品質が良好であるユーザ設備は、そのシンボルが第４象限における「大きなコンステレーション点」に位置するのみならず、「大きなコンステレーション点」の左上角の「小さなコンステレーション点」に位置することを特定することができ、その場合に、復調により“１００１”のデータを得ることができる。すなわち、チャネル品質が悪いユーザ設備は、復調により“１００１”の前２ビットしか得ることができない。一般的に、１６ＱＡＭコンステレーション点における、１６ＱＡＭよりも低い次数を有するＱＰＳＫに対応する前２ビットは、最上位ビット（ＭＳＢ）と呼ばれ、後２ビットは最下位ビット（ＬＳＢ）と呼ばれる。
【０００５】
次に、階層変調及び従来のスケジューリングを導入する場合の複数のユーザ設備のためのリソースマッピング方法は、図２、図３Ａ及び図３Ｂを参照して説明される。図２は、基地局１のセルが２つのユーザ設備を有するところの通信モデルを表し、第１ユーザ設備ＵＥ１のチャネル品質は第２ユーザ設備ＵＥ２のものよりもずっと良い。図３Ａは、従来のスケジューリングにおけるリソースマッピング方法を表し、図３Ｂは、階層変調が導入される場合のリソースマッピング方法を表す。図３Ａに表されるように、従来のスケジューリングでは、基地局は、直交するリソースを２つのユーザ設備へ割り当て、それらの直交するリソースは、符号語直交、時間周波数直交、等であってよい。例えば、時間周波数直交リソースの場合に、第１ユーザ設備ＵＥ１は、時間周波数リソース１を割り当てられ、第２ユーザ設備ＵＥ２は、時間周波数リソース１に直交する時間周波数リソース２を割り当てられる。図３Ｂに表されるように、階層変調が導入される場合、第１ユーザ設備ＵＥ１及び第２ユーザ設備ＵＥ２は、時間周波数リソース１及び２を同時に占有する。セルのカバレッジ及びスループットを改善するために、同じ変調モードが時間周波数リソース１及び２について導入される。さらに、第２ユーザ設備ＵＥ２のデータのビットは、コンステレーション点のＭＳＢへマッピングされ、第１ユーザ設備ＵＥ１のデータのビットは、コンステレーション点のＬＳＢへマッピングされる。結果として、セルのカバレッジ及びスループットは改善され得る。
【０００６】
次に、階層変調の間のビットマッピング状態が、１６ＱＡＭを例として、図４を参照して記載される。図４に表されるように、夫々の１６ＱＡＭコンステレーション点において、ＭＳＢは、チャネル品質が悪い第２ユーザ設備ＵＥ２によって占有され、ＬＳＢは、チャネル品質が良好である第１ユーザ設備ＵＥ１によって占有される。復調の間、第２ユーザ設備ＵＥ２は、復調により各コンステレーション点の２ビット（すなわち、ＭＳＢ）を得ることができ、第１ユーザ設備ＵＥ１は、復調により各コンステレーション点の全４ビットを得ることができる。
【０００７】
将来的には、無線通信システムは、情報の妥当性及び信頼性を改善するよう重要な手段としてマルチアンテナを用いる。マルチアンテナ技術の中の重要な技術は、ユーザ設備が推定により得られるチャネルに従って適切なプレコーディングマトリクスを計算し、プレコーディングマトリクスの情報を基地局へフィードバックすることを基本的な考えとするプレコーディング技術である。基地局は、ユーザ設備をスケジューリングする次の時点において、プレコーディングマトリクスに従って送信データをプレコーディングする。
【０００８】
図５Ａ及び図５Ｂは、夫々、従来のマルチアンテナプレコーディング伝送及びダイバーシティ伝送の典型的な構成図を表す。プレコーディング伝送の構成図は図５Ａにおいて表され、第１ユーザ設備ＵＥ１へ送信される第１ソースデータは最初にエンコーディングされてレートマッチングされる。ここで、エンコーディングは１／３ベースエンコーディングであり、レートマッチングによって出力されるシーケンスは、ベースエンコーディングの後に出力されるシーケンスの切り捨て（truncation）又はパンチ（punch）により得られるシーケンスである。シーケンス長さは、使用される変調モード及び伝送レイヤの数に関係がある。ダイバーシティ伝送の構成図は図５Ｂにおいて表される。図５Ａと同様に、第２ユーザ設備ＵＥ２へ送信される第２ソースデータは最初にエンコーディングされてレートマッチングされる。図５Ａと区別して記載を助けるために、第１ユーザ設備ＵＥ１に使用されるレートマッチングは第１レートマッチングと呼ばれ、第２ユーザ設備ＵＥ２に使用されるレートマッチングは第２レートマッチングと呼ばれる。第２レートマッチング後に出力されるシンボルシーケンスは、シンボルシーケンスｘである。シンボルシーケンスｘは、コンステレーション点マッピングを受けて、ダイバーシティ伝送される。
【０００９】
階層変調がマルチアンテナプレコーディングシステムにおいて導入される場合に、例えば、２つのユーザ設備が階層変調を実行するよう選択される場合に、次の問題が起こる：
１．２つの選択されたユーザ設備が予めプレコーディング伝送モードに設定される場合、ユーザ設備の一方のみによってフィードバックされるプレコーディングマトリクスがダウンリンクデータプレコーディングの間に選択され得、そのプレコーディングマトリクス必ずしも他方のユーザ設備には適さない；且つ
２．ダウンリンクデータプレコーディングにおいて導入されるプレコーディングマトリクスがユーザ設備の一方によってフィードバックされたものである場合、他方のユーザ設備は、そのプレコーディングマトリクスを知らないので、送信データをデコーディングすることができない。
【００１０】
従って、関連技術においては、マルチアンテナシステムにおいて階層変調を導入する方法及び装置が必要とされる。
【００１１】
留意すべきは、先行技術に関する上記の記載は、本発明の技術的解決法を明りょう且つ完全に記載するとともに、当業者の理解を助ける便宜上示されているにすぎない。それらの解決法は、背景技術において記載されているために当業者に知られている、と見なされるべきではない。
【００１２】
本発明によって引用される文献は、次のように列挙される。それらは、あたかも本願で詳細に記載されているかのように、参照により本願に援用される。
【先行技術文献】
【特許文献】
【００１３】
【特許文献１】米国特許出願公開第２００９／００４２５１１（Ａ１）号明細書
【特許文献２】米国特許出願公開第２００９／０２２２８５５（Ａ１）号明細書
【特許文献３】米国特許出願公開第２００８／０２９８２９６（Ａ１）号明細書
【特許文献４】米国特許出願公開第２００８／０１５９１８６（Ａ１）号明細書
【特許文献５】米国特許出願公開第２００８／０１７０６４０（Ａ１）号明細書
【非特許文献】
【００１４】
【非特許文献１】富士通、Hierarchical  modulation  based  DL  MIMO  for  LTE-Advanced、３ＧＰＰ、Ｒ１−０９３１６３
【発明の概要】
【発明が解決しようとする課題】
【００１５】
先行技術の上記の問題を鑑み、本発明の実施形態は、先行技術において存在する１又はそれ以上の欠点を解消し、少なくとも１つの有益な選択を提供するよう提案される。
【課題を解決するための手段】
【００１６】
本発明の目的を達成するために、本発明の実施形態は、以下の態様を提供する。
【００１７】
本発明の態様に従って、マルチアンテナ通信システムにおいて使用される通信方法であって、
プレコーディング伝送モードに設定される候補ユーザ設備の第１グループから１の候補ユーザ設備を第１ユーザ設備として選択し、ダイバーシティ伝送モードに設定される候補ユーザ設備の第２グループから１の候補ユーザ設備を第２ユーザ設備として選択し、
階層変調において使用される変調モード、レイヤマッピングにおいて使用される伝送レイヤの数、及びプレコーディングにおいて使用されるプレコーディングマトリクスを、前記第１ユーザ設備によって送信される第１チャネル品質情報、プレコーディングマトリクス情報及び第１伝送レイヤ数と、前記第２ユーザ設備によって送信される第２チャネル品質情報及び第２伝送レイヤ数とに従って決定し、
前記変調モード及び前記伝送レイヤの数に従って、前記第１ユーザ設備へ送信される第１ソースデータから第１シンボルシーケンスを生成し、
前記変調モード及び前記伝送レイヤの数に従って、前記第２ユーザ設備へ送信される第２ソースデータから第２シンボルシーケンスを生成し、
混合シンボルシーケンスを生成するよう、前記変調モードに従って前記第１シンボルシーケンス及び第２シンボルシーケンスを階層変調し、
伝送信号を生成するよう、前記プレコーディングマトリクス及び前記伝送レイヤの数に従って前記混合シンボルシーケンスに対してレイヤマッピング及びプレコーディングを行い、
前記第１ユーザ設備及び前記第２ユーザ設備へ前記伝送信号を送信し、前記第２ユーザ設備に前記プレコーディングマトリクス及び前記伝送レイヤの数を知らせる
通信方法が提供される。
【００１８】
本発明の他の態様に従って、上記の通信方法を用いるマルチアンテナ通信システムが提供される。
【００１９】
本発明の更なる他の態様に従って、
プレコーディング伝送モードに設定される候補ユーザ設備の第１グループから１の候補ユーザ設備を第１ユーザ設備として選択し、ダイバーシティ伝送モードに設定される候補ユーザ設備の第２グループから１の候補ユーザ設備を第２ユーザ設備として選択するユーザ設備選択部と、
階層変調において使用される変調モード、レイヤマッピングにおいて使用される伝送レイヤの数、及びプレコーディングにおいて使用されるプレコーディングマトリクスを、前記第１ユーザ設備によって送信される第１チャネル品質情報、プレコーディングマトリクス情報及び第１伝送レイヤ数と、前記第２ユーザ設備によって送信される第２チャネル品質情報及び第２伝送レイヤ数とに従って決定するパラメータ決定部と、
前記変調モード及び前記伝送レイヤの数に従って、前記第１ユーザ設備へ送信される第１ソースデータから第１シンボルシーケンスを生成する第１シンボルシーケンス生成部と、
前記変調モード及び前記伝送レイヤの数に従って、前記第２ユーザ設備へ送信される第２ソースデータから第２シンボルシーケンスを生成する第２シンボルシーケンス生成部と、
混合シンボルシーケンスを生成するよう、前記変調モードに従って前記第１シンボルシーケンス及び第２シンボルシーケンスを階層変調する階層変調部と、
伝送信号を生成するよう、前記プレコーディングマトリクス及び前記伝送レイヤの数に従って前記混合シンボルシーケンスに対してレイヤマッピング及びプレコーディングを行うプレコーディング部と、
前記第１ユーザ設備及び前記第２ユーザ設備へ前記伝送信号を送信し、前記第２ユーザ設備に前記プレコーディングマトリクス及び前記伝送レイヤの数を知らせる送信部と
を有する基地局が提供される。
【００２０】
本発明の更なる他の態様に従って、マルチアンテナ通信システム又は情報処理システムが上記の通信方法を実行することを可能にするよう前記マルチアンテナ通信システム又は前記情報処理システムにおいて実行される機械読出可能なプログラムコードを有する記憶媒体が提供される。
【００２１】
本発明の更なる他の態様に従って、マルチアンテナ通信システム又は情報処理システムが上記の通信方法を実行することを可能にするよう前記マルチアンテナ通信システム又は前記情報処理システムにおいて実行される機械読出可能なプログラムコードを有するプログラムプロダクトが提供される。
【００２２】
本発明に従って、階層変調を実行するようマルチアンテナ通信システムにおいてプレコーディング伝送モードに設定されるユーザ設備及びダイバーシティ伝送モードに設定されるユーザ設備を選択する実現可能な通信方法及び対応する装置が、提供される。
【図面の簡単な説明】
【００２３】
【図１】階層変調の説明図を表す。
【図２】２つのユーザ設備の下の通信モデルを表す。
【図３Ａ】従来のリソースマッピング方法を表す。
【図３Ｂ】階層変調が導入されるリソースマッピング方法を表す。
【図４】階層変調の間の各ユーザ設備ごとのビットマッピングの状態を表す。
【図５Ａ】従来のマルチアンテナプレコーディング伝送の典型的な構成図を表す。
【図５Ｂ】従来のダイバーシティ伝送の典型的な構成図を表す。
【図６】本発明の実施形態に従うマルチアンテナ通信システムの説明図を表す。
【図７】本発明の実施形態に従うマルチアンテナ通信システムにおける基地局の例となるブロック図を表す。
【図８】基地局における信号生成フローの第１の例を表す。
【図９】本発明の実施形態に従う通信方法のフローチャートを表す。
【図１０】ユーザ設備選択部の例となる構成のブロック図を表す。
【図１１】階層変調に参加するユーザ設備を選択する例となるフローチャートを表す。
【図１２】第２シンボルシーケンス生成部の第１の例の略ブロック図を表す。
【図１３】第２シンボルシーケンス生成部の第２の例の略ブロック図を表す。
【図１４】基地局における信号生成フローの第２の例を表す。
【発明を実施するための形態】
【００２４】
本発明の上記の及び他の目的、特徴及び利点は、図面を参照してなされる本発明の実施形態の以下の説明に基づき、より容易に理解され得る。図面における部分は実寸通りに表されておらず、本発明の原理を表すために過ぎない。本発明の幾つかの部分を例示及び記載する便宜上、図面における対応する部分は拡大されることがある。すなわち、それらの部分は、本発明に従って実際に作られる例となる装置における他の部分に対して拡大される。図面において、同じ又は対応する参照符号は、同じ又は対応する技術的な機能又は部分を表すために使用される。
【００２５】
本発明の実施形態は、図面を参照して以下のように記載される。明りょうさのために、本発明とは無関係であり且つ当業者に知られている部分及び処理について描写及び記載は、図面及び明細書において省略される点に留意すべきである。
【００２６】
明細書及び図面において、本発明の具体的な実施形態は、本発明の原理が用いられ得る方法を示すよう詳細に開示される。しかし、当然のことながら、本発明は、その適用範囲に関して相応に限定されない。本発明は、添付の特許請求の範囲の技術的範囲内で多くの変更、変形及び均等を含む。
【００２７】
一実施形態に関して記載及び／又は描写される特徴は、他の実施形態の特徴を組み合わせ又は置換するよう、１又はそれ以上の他の実施形態において同じように使用されてよい。
【００２８】
留意すべきは、語「有する」及び「含む」は、ここでは、１又はそれ以上の他の特徴、要素、工程又はコンポーネントの存在又は付加を除くことなく、特徴、要素、ステップ及びコンポーネントの存在に言及する。
【００２９】
基地局を有する一般的なマルチアンテナ通信システムを例とすると、本発明の実施形態に従うマルチアンテナ通信システム及び該マルチアンテナ通信システムにおいて使用される通信方法は、図面を参照して以下のように記載される。図６は、本発明の実施形態に従うマルチアンテナ通信システムの説明図を表す。図６に表されるマルチアンテナ通信システムは、複数のユーザ設備を有する。アクセス時の良好なチャネル品質及び／又は良好な履歴上のチャネル品質を有するユーザ設備は、プレコーディング伝送モードにおいて設定され、一方、アクセス時の悪いチャネル品質及び／又は悪い履歴上のチャネル品質を有するユーザ設備は、ダイバーシティ伝送モードにおいて設定される。基地局は、階層変調のために、チャネル品質が良好であるユーザ設備の中から第１ユーザ設備ＵＥ１を選択し、チャネル品質が悪いユーザ設備の中から第２ユーザ設備ＵＥ２を選択する。図６におけるユーザ設備の全てが便宜上同じ参照符号により表されているが、当業者には明らかなように、ユーザ設備は互いに同じであっても又は異なってもよく、当然、ユーザ設備の一部が互いに同じであってもよい。
【００３０】
プレコーディング伝送モードにおいて設定される第１ユーザ設備ＵＥ１は、次の情報、すなわち、次の時点での伝送において使用される符号変調モードを決定するためのチャネル品質情報、次の時点で伝送において使用されるプレコーディングマトリクスを決定するためのプレコーディングマトリクス情報、及び伝送レイヤの数を基地局１００へ送信する。ダイバーシティ伝送モードにおいて設定される第２ユーザ設備ＵＥ２は、そのチャネル品質情報及び伝送レイヤの数を基地局１００へ送信する。当然、当業者には明らかなように、通信を行うために、第１ユーザ設備ＵＥ１及び第２ユーザ設備ＵＥ２は、上記の情報に加えて他の情報を送信してよい。第１ユーザ設備ＵＥ１及び第２ユーザ設備ＵＥ２は上記の情報しか送信しないと認識されるべきではない。
【００３１】
本発明のマルチアンテナ通信システムにおいて、基地局１００は、次の時点での伝送において使用されるパラメータ、例えば、階層変調の変調モード、使用される伝送レイヤの数及び使用されるプレコーディングマトリクスを、第１ユーザ設備ＵＥ１及び第２ユーザ設備ＵＥ２によって送信される情報に従って決定する。次に、基地局１００は、第１ユーザ設備ＵＥ１へ送信される第１ソースデータ及び第２ユーザ設備ＵＥ２へ送信される第２ソースデータから第１及び第２のシンボルシーケンスを夫々生成する。次いで、第１及び第２のシンボルシーケンスは、コンステレーション階層変調、レイヤマッピング及びプレコーディングを受ける。基地局１００は、プレコーディングされたデータを第１ユーザ設備ＵＥ１及び第２ユーザ設備ＵＥ２へ送信するのみならず、使用されたプレコーディングマトリクス及び伝送レイヤの数を第２ユーザ設備ＵＥ２へ送信する。それにより、ダイバーシティ伝送モードにおける第２ユーザ設備ＵＥ２は、受信データをデコーディングすることができる。第１ユーザ設備ＵＥ１及び第２ユーザ設備ＵＥ２の夫々は、夫々のデータを得るよう受信データをデコーディングする。
【００３２】
留意すべきは、ここでの基地局は最も広く解釈されるべきであり、サービスエリアを形成し且つそのサービスエリア内でユーザ設備にサービスを提供する様々な装置を含むべきである。
【実施例１】
【００３３】
次に、本発明の第１実施例が、図６乃至１２を参照して、より詳細に記載される。
【００３４】
図７は、本発明の実施形態に従うマルチアンテナ通信システムにおける基地局１００の例となるブロック図を表す。基地局１００は、階層変調に参加する第１ユーザ設備ＵＥ１及び第２ユーザ設備ＵＥ２を選択するユーザ設備選択部１１０と、使用される階層変調の変調モード、使用される伝送レイヤの数及び使用されるプレコーディングマトリクスを決定するパラメータ決定部１２０と、第１ユーザ設備ＵＥ１へ送信される第１ソースデータから第１シンボルシーケンスを、第２ユーザ設備ＵＥ２へ送信される第２ソースデータから第２シンボルシーケンスを夫々生成する第１シンボルシーケンス生成部１３０及び第２シンボルシーケンス生成部１４０と、混合シンボルシーケンスを生成するよう第１及び第２のシンボルシーケンスに対してコンステレーション階層変調を実行する階層変調部１５０と、伝送信号を生成するよう混合シンボルシーケンスに対してレイヤマッピング及びプレコーディングを行うプレコーディング部１６０と、プレコーディングマトリクスに関する情報及び伝送レイヤの数を第２ユーザ設備ＵＥ２へ送信するとともに、送信エンドシンボルシーケンスを第１ユーザ設備ＵＥ１及び第２ユーザ設備ＵＥ２へ送信する送信部１７０とを有する。当業者には明らかなように、基地局１００におけるユーザ設備選択部１１０、パラメータ決定部１２０、第１シンボルシーケンス生成部１３０、第２シンボルシーケンス生成部１４０、階層変調部１５０、プレコーディング部１６０及び送信部１７０は、機械読出可能な媒体に記憶されたプログラム又は論理回路のいずれかにより実施されてよい。
【００３５】
次に、基地局１００の動作は、図８及び図９を参照して記載される。図８は、基地局１００における信号生成フローを表し、図９は、本発明の実施形態に従う通信方法のフローチャートを表す。
【００３６】
最初に、ステップＳＴ１０２で、ユーザ設備選択部１１０は、階層変調に参加するユーザ設備として、プレコーディング伝送モードに設定される候補ユーザ設備の第１グループから第１ユーザ設備ＵＥ１を選択し、ダイバーシティ伝送モードに設定される候補ユーザ設備の第２グループから第２ユーザ設備ＵＥ２を選択する。
【００３７】
次に、ユーザ設備の選択は、図１０及び図１１を参照して、より詳細に記載される。図１０は、ユーザ設備選択部の例となる構成のブロック図を表し、図１１は、階層変調に参加するユーザ設備を選択する例となるフローチャートを表す。
【００３８】
ステップＳ２０２で、リソース割当部１１２は、階層変調に参加するリソースを、候補ユーザ設備の第１及び第２のグループへ割り当てる。当然、当業者には明らかなように、候補ユーザ設備の第１グループは、プレコーディング伝送モードに設定され且つ基地局１００のサービスエリア内にあるユーザ設備の全て又は一部であってよく、候補ユーザ設備の第２グループは、ダイバーシティ伝送モードに設定され且つ基地局１００のサービスエリア内にあるユーザ設備の全て又は一部であってよい。
【００３９】
ステップＳＴ２０４で、割り当てられたリソースは、候補ユーザ設備の夫々に知らされる。如何にしてリソースを候補ユーザ設備へ割り当てるのか、及び如何にして割り当てられたリソースを候補ユーザ設備へ知らせるのかは、本発明の発明ポイントではない。そして、リソースを候補ユーザ設備へ割り当て、割り当てられたリソースを候補ユーザ設備へ知らせる如何なる適切な方法も、マルチアンテナ通信システムの実際の状態に従って選択されてよい。
【００４０】
候補ユーザ設備が割り当てられたリソースを基地局１００から受け取った後、プレコーディング伝送モードに設定される候補ユーザ設備の第１グループの夫々の候補ユーザ設備は、チャネル品質情報を生成するようそのチャネル品質を推定し、次の時点における伝送で使用されるプレコーディングマトリクス情報及び次の時点における伝送で使用される伝送レイヤの数の情報を決定する。このとき、プレコーディングマトリクス情報は、使用されるプレコーディングマトリクス、又は次の時点で使用されるプレコーディングマトリクスが基地局によって決定され得るための情報のいずれかであってよい（例えば、コードブックにおけるプレコーディングマトリクスのシリアル番号）。ダイバーシティ伝送モードに設定される候補ユーザ設備の第２グループの夫々の候補ユーザ設備は、チャネル品質情報を生成するようそのチャネル品質を推定し、次の時点における伝送で使用される伝送レイヤの数を決定する。
【００４１】
次に、ステップＳＴ２０６で、受信部１１４は、候補ユーザ設備の夫々から送信される情報を受信する。具体的に、受信部１１４は、プレコーディング伝送モードに設定される候補ユーザ設備の第１グループの夫々の候補ユーザ設備のチャネル品質情報、プレコーディングマトリクス情報及び伝送レイヤの数を受信し、ダイバーシティ伝送モードに設定される候補ユーザ設備の第２グループの夫々の候補ユーザ設備のチャネル品質情報及び伝送レイヤの数を受信する。
【００４２】
次に、ステップＳＴ２０８及びＳＴ２１０で、選択部１１６は、候補ユーザ設備の第１グループから１の候補ユーザ設備を階層変調に参加する第１ユーザ設備ＵＥ１として選択し、候補ユーザ設備の第２グループから１の候補ユーザ設備を階層変調に参加する第２ユーザ設備ＵＥ２として選択する。望ましくは、選択部１１６は、候補ユーザ設備の第１グループから、最大値を有するチャネル品質情報の（すなわち、チャネル品質が最良である）１の候補ユーザ設備を、階層変調に参加する第１ユーザ設備ＵＥ１として選択し、候補ユーザ設備の第２グループから、最大値を有するチャネル品質情報の（すなわち、チャネル品質が最良である）１の候補ユーザ設備を、階層変調二酸化する第２ユーザ設備ＵＥ２として選択する。
【００４３】
階層変調に参加する第１ユーザ設備ＵＥ１及び第２ユーザ設備ＵＥ２が選択された後、フローは続けられるよう図９に戻る。
【００４４】
ステップＳＴ１０４で、パラメータ決定部１２０は、第１ユーザ設備ＵＥ１によって送信されたチャネル品質情報、第１ユーザ設備ＵＥ１によって送信されたプレコーディングマトリクス情報、及び第１ユーザ設備ＵＥ１によって送信された伝送レイヤの数、並びに第２ユーザ設備ＵＥ２によって送信されたチャネル品質情報、及び第２ユーザ設備ＵＥ２によって送信された伝送レイヤの数に従って、階層変調において使用される変調モード、レイヤマッピングにおいて使用される伝送レイヤの数、及びプレコーディングにおいて使用されるプレコーディングマトリクスを決定する。
【００４５】
基地局１００によって階層変調において使用される変調モードは、第１ユーザ設備ＵＥ１及び第２ユーザ設備ＵＥ２の一方によって送信されたチャネル品質情報に従って決定されてよく、あるいは、第１ユーザ設備ＵＥ１及び第２ユーザ設備ＵＥ２の両方によって送信されたチャネル品質情報に従って、及び／又は他のユーザ設備のチャネル品質情報を考慮することによって決定されてよい。
【００４６】
レイヤマッピングにおいて使用される伝送レイヤの数は、第１ユーザ設備ＵＥ１及び第２ユーザ設備ＵＥ２の一方によって送信された伝送レイヤの数であってよく、あるいは、第１ユーザ設備ＵＥ１及び第２ユーザ設備ＵＥ２の両方によって送信された伝送レイヤの数から、及び／又は他のユーザ設備についての伝送レイヤを考慮することによって決定される伝送レイヤの数であってよい。
【００４７】
プレコーディングにおいて使用されるプレコーディングマトリクスは、第１ユーザ設備ＵＥ１によって送信されたプレコーディングマトリクス情報に従って決定されてよく、あるいは、第１ユーザ設備ＵＥ１によって送信されたプレコーディングマトリクス情報に従って、及び／又は他のユーザ設備についてのプレコーディングマトリクスを考慮することによって決定されてよい。
【００４８】
例えば、第１ユーザ設備ＵＥ１によって送信される伝送レイヤの数、及び第１ユーザ設備ＵＥ１によって送信されるプレコーディングマトリクス情報に対応するプレコーディングマトリクスが使用され得る。
【００４９】
ステップＳＴ１０６で、第１シンボルシーケンス生成部１３０は、パラメータ決定部１２０によって決定された変調モード及び伝送レイヤの数に従って、第１ユーザ設備ＵＥ１へ送信される第１ソースデータから第１シンボルシーケンスを生成する。
【００５０】
図８に表されるように、第１ユーザ設備ＵＥ１へ送信される第１ソースデータに関し、第１シンボルシーケンス生成部１３０は、第１エンコーディングを実行し、次いで、システムによって定義されるレートマッチングモードに従って第１レートマッチングを実行して、第１シンボルシーケンスを生成する。第１ユーザ設備ＵＥ１はプレコーディング伝送モードを採用しているので、第１ソースデータについて実行される第１エンコーディング及び第１レートマッチングは、階層変調を考慮することなく実行されるものと同じである。第１エンコーディング及び第１レートマッチングの詳細な説明は、ここでは省略される。
【００５１】
ステップＳＴ１０８で、第２シンボルシーケンス生成部１４０は、パラメータ決定部１２０によって決定された変調モード及び伝送レイヤの数に従って、第２ユーザ設備ＵＥ２へ送信される第２ソースデータから第２シンボルシーケンスを生成する。
【００５２】
次に、ステップＳＴ１０８は、図１２を参照して記載される。図１２は、第２シンボルシーケンス生成部１４０の第１の例となるブロック図を表す。図１２に表されるように、第２シンボルシーケンス生成部１４０は、エンコーディング部１４１、計算部１４２及びレートマッチ部１４３を有する。当業者には明らかなように、第２シンボルシーケンス生成部１４０におけるエンコーディング部１４１、計算部１４２及びレートマッチ部１４３は、機械読出可能な媒体に記憶されたプログラム又は論理回路のいずれかにより実施されてよい。
【００５３】
第２シンボルシーケンス生成部１４０におけるエンコーディング部１４１は、符号化データを生成するよう第２ソースデータをエンコーディングする。第２シンボルシーケンス生成部１４０における計算部１４２は、パラメータ決定部１２０によって決定された変調モード及び伝送レイヤの数にしたがって生成される第２シンボルシーケンスの長さを計算する。第２シンボルシーケンス生成部１４０におけるレートマッチ部１４３は、第２シンボルシーケンスを生成するよう、計算された長さに従って符号化データに対して第２レートマッチングを実行する。このとき、第２レートマッチングは、符号化データの切り捨て又はパンチにより実施されてよい。図５Ｂに表されるような従来のダイバーシティ伝送における第２レートマッチング後に出力されるシンボルシーケンスはｘであり、図８において表されるような第２レートマッチング後に出力される第２シンボルシーケンスはｙ１であり、第２シンボルシーケンスｙ１及びシンボルシーケンスｘの長さは互いに異なるとする。一般的に、第２シンボルシーケンスｙ１の長さは、階層変調を除いた同じ条件下で、シンボルシーケンスｘの長さよりも長い。
【００５４】
ステップＳＴ１０６及びＳＴ１０８は図８において順序正しく表されているが、当業者には明らかなように、図８に表されるステップＳＴ１０６及びＳＴ１０８は並行して実行されてよい。
【００５５】
ステップＳＴ１１０で、レートマッチングされた第１及び第２のシンボルシーケンスは、コンステレーション階層変調を受ける。それにより、第１及び第２のシンボルシーケンスは、混合データを生成するようビットレベルで混合される。例えば、図１に表されるような１６ＱＡＭ階層変調が導入される場合に、図４に表されるように、第１シンボルシーケンスは、１６ＱＡＭコンステレーション点の２つのＬＳＢへマッピングされてよく、第２シンボルシーケンスは、１６ＱＡＭコンステレーション点の２つのＭＳＢへマッピングされてよい。
【００５６】
当然、当業者には明らかなように、階層変調は、現在知られている又は将来設計される他の方法において実行されてよい。
【００５７】
階層変調の後、プレコーディング部１６０は、パラメータ決定部１２０によって決定された伝送レイヤの数に従って、混合シーケンスに対してレイヤマッピングを行い、パラメータ決定部１２０によって決定されたプレコーディングマトリクスに従って、レイヤマッピングをされたシーケンスに対してプレコーディングを行い、伝送信号を生成する。如何にして混合シーケンスに対してレイヤマッピング及びプレコーディングを行うかは、本発明の発明ポイントではない。当業者は、マルチアンテナ通信システムの実際の状態に従って、現在知られている又は両ライ設計される方法によりレイヤマッピング及びプレコーディングを行ってよい。
【００５８】
ステップＳＴ１１４で、送信部１７０は、使用されるプレコーディングマトリクス及び伝送レイヤの数を第２ユーザ設備ＵＥ２に知らせ、第１ユーザ設備ＵＥ１及び第２ユーザ設備ＵＥ２へ伝送信号を送信する。第１ユーザ設備ＵＥ１において、受信信号はデコーディングされる。第２ユーザ設備ＵＥ２において、受信信号は、受信されたプレコーディングマトリクス及び伝送レイヤの数に従って、デコーディングされる。送信部１７０は、割り当てられたリソースにおいて専用のパイロット又はプレコーディングマトリクス情報を用いて第２ユーザ設備ＵＥ２に知らせてよい。
【００５９】
さらに、パラメータ決定部１２０によって決定される伝送レイヤの数及びプレコーディングマトリクスが第１ユーザ設備ＵＥ１によって決定されるものとは異なる場合に、送信部１７０は、さらに、使用されるプレコーディングマトリクス及び伝送レイヤの数を第１ユーザ設備ＵＥ１へ送信する。第１ユーザ設備ＵＥ１において、受信信号は、受信されたプレコーディングマトリクス及び伝送レイヤの数に従って、デコーディングされる。
【００６０】
留意すべきは、ステップは上記の説明では順序正しく番号を付されているが、ステップの順序は変更されてよく、幾つかのステップは並行して実行されてよい。
【００６１】
本発明の第１の実施例に従って、階層変調を実行するようマルチアンテナ通信システムにおいてプレコーディング伝送モード及びダイバーシティ伝送モードにおいて設定されるユーザ設備を選択する実現可能な通信方法及び対応する装置が、提供される。
【実施例２】
【００６２】
第１の実施例では、第２シンボルシーケンスの長さは、階層変調において使用される変調モード及び伝送レイヤの数に従って計算され、次いで、レートマッチングは、第２シンボルシーケンスを生成するよう実行される。しかし、第１の実施例とは異なる本発明に従う第２の実施例は、第２ソースデータがエンコーディングされた後に、出力シンボルシーケンスｘが依然として階層変調を考慮することなく従来のシステムによって定義されるレートマッチング方式において得られ、次いで、第２エンコーディングが出力ビットシーケンスｘに対して実行されることにある。
【００６３】
簡潔さのために、第１及び第２の実施例の同じ部分についての説明は省略される。第１及び第２の実施例の間の相違点は、図１３及び図１４を参照して以下のように詳細に記載される。図１３は、本発明の第２の実施例に従う第２シンボルシーケンス生成部の略ブロック図を表す。図１４は、本発明の第２の実施例に従う基地局における信号生成のフローチャートを表す。
【００６４】
第２シンボルシーケンス生成部１４０は、第１エンコーディング部１５１、レートマッチ部１５２、計算部１５３、エンコーディングモード選択部１５４及び第２エンコーディング部１５５を有する。当業者には明らかなように、第２シンボルシーケンス生成部１４０における第１エンコーディング部１５１、レートマッチ部１５２、計算部１５３、エンコーディングモード選択部１５４及び第２エンコーディング部１５５は、機械読出可能な媒体に記憶されるプログラム又は論理回路のいずれかにより実施されてよい。
【００６５】
最初に、第１エンコーディング部１５１は、符号化データを生成するよう第２ソースデータに対して第１エンコーディングを実行する。次に、レートマッチ部１５２は、第３シンボルシーケンスを生成するよう、マルチアンテナ通信システムによって定義されるレートマッチングモードに従って符号化データに対してレートマッチングを実行する。このとき、第３シンボルシーケンスは、図５Ｂに表されるような従来のダイバーシティ伝送モードの下でのレートマッチングにより生成されるもの、すなわち、シーケンスｘ、と同じである。計算部１５３は、パラメータ決定部１２０によって決定された変調モード及び伝送レイヤの数に従って階層変調される第２シンボルシーケンスの長さを計算する。エンコーディングモード選択部１５４は、計算された長さに従って、エンコーディングモードを選択する。第２エンコーディング部１５５は、第２シンボルシーケンスｙ２を生成するよう、選択されたエンコーディングモードに従って第３シンボルシーケンスに対して第２エンコーディングを実行する。エンコーディングモード選択部１５４は、第２エンコーディング部１５５によって生成される第２シンボルシーケンスｙ２の長さが第１の実施例におけるレートマッチ部１４３によって生成される第２シンボルシーケンスｙ１の長さと同じであるようなエンコーディングモードを選択する。ここで、エンコーディングモードは、反復符号化若しくはビットレベル空間時間符号化、又はターボ符号化、畳み込み符号化のような他のチャネルエンコーディングモードであってよい。一般的に、第２シンボルシーケンスｙ１及びｙ２の内容は互いに異なる。
【００６６】
本発明の第２の実施例に従って、階層変調を実行するようマルチアンテナ通信システムにおいてプレコーディング伝送モード及びダイバーシティ伝送モードにおいて設定されるユーザ設備を選択する他の実現可能な通信方法及び対応する装置が、提供される。
【変形例】
【００６７】
本発明に従う通信方法及び基地局の様々な変形例が存在してよい。
【００６８】
（１）ステップＳＴ１０８の前に、通信方法は、さらに、図８又は図１４で表されるフローにおいて第２シンボルシーケンスを生成するよう選択することを有してよい。
【００６９】
（２）基地局１００は選択部を更に有してよく、第２シンボルシーケンス生成部は第１サブユニット及び第２サブユニットを有してよく、第１サブユニットは図１２に表されるような構成を有し、第２サブユニットは図１３に表されるような構成を有する。選択部は、第２シンボルシーケンスを生成するよう第１サブユニット及び第２サブユニットの一方を選択してよい。
【００７０】
（３）基地局１００は、プレコーディング伝送モードに設定されるユーザ設備のいずれか１つを第１ユーザ設備ＵＥ１として選択し、ダイバーシティ伝送モードに設定されるユーザ設備のいずれか１つを第２ユーザ設備ＵＥ２として選択し、割り当てられたリソースを第１ユーザ設備ＵＥ１及び第２ユーザ設備ＵＥ２に知らせてよい。第１ユーザ設備ＵＥ１は、そのチャネル品質情報を推定し、割り当てられたリソースに従ってプレコーディングマトリクス情報及び伝送レイヤの数を決定し、基地局１００へフィードバックする。第２ユーザ設備ＵＥ２は、そのチャネル品質情報を推定し、割り当てられたリソースに従って伝送レイヤの数を決定し、基地局１００へフィードバックする。代替的に、基地局１００は、プレコーディング伝送モードに設定されたユーザ設備のいずれを第１ユーザ設備ＵＥ１として選択し、第１の実施例において図１１に表された方法に従ってダイバーシティ伝送モードに設定されたユーザ設備から第２ユーザ設備ＵＥ２を選択してよい。代替的に、基地局１００は、第１の実施例において図１１に表された方法に従ってプレコーディング伝送モードに設定されたユーザ設備から第１ユーザ設備ＵＥ１を選択し、ダイバーシティ伝送モードに設定されたユーザ設備のいずれか１つを第２ユーザ設備ＵＥ２として選択してよい。
【００７１】
さらに、本発明に従う上記の方法が、機械読出可能なプログラムコードを含む記憶媒体によっても実施されてよいことは自明である。マルチアンテナ通信システム又は情報処理システムにおいて実行される場合に、プログラムコードは、マルチアンテナ通信システム又は情報処理システムが上記の通信方法を実行することを可能にする。
【００７２】
さらに、本発明に従う上記の方法が、機械実行可能な命令を含むプログラムプロダクトによっても実施されてよいことは自明である。マルチアンテナ通信システム又は情報処理システムにおいて実行される場合に、命令は、マルチアンテナ通信システム又は情報処理システムが上記の通信方法を実行すること可能にする。
【００７３】
当業者には明らかなように、開示される実施形態に関連して記載される様々な例となるユニット及びステップは、ハードウェア、ソフトウェア又はそれらの組み合わせにより実施され得る。それらの機能がハードウェア又はソフトウェアによって実行されるかどうかは、技術的な解決法及び設計制約条件の具体的な適用に依存する。当業者は、夫々の具体的な適用ごとに異なる方法を用いることによって、記載される機能を実施することができるが、そのような実施は、本発明の適用範囲を超えると考えられるべきではない。
【００７４】
開示される実施形態に関連して記載される方法又はアルゴリズムのステップは、ハードウェア（コンピュータのような論理装置）によって実行されるソフトウェアにより実施されてよい。実行される場合に、ソフトウェアは、ハードウェア（コンピュータのような論理装置）が上記の方法又はそのステップを実施し、又は本発明に従う装置のコンポーネントとして動作することを可能にする。
【００７５】
ソフトウェアは、ランダムアクセスメモリ（ＲＡＭ）、メモリ、読出専用メモリ（ＲＯＭ）、電気的プログラム可能ＲＯＭ（ＥＰＲＯＭ）、電気的消去可能プログラム可能ＲＯＭ（ＥＥＰＲＯＭ）、レジスタ、ハードディスク、リムーバブルディスク、ＣＤ−ＲＯＭ、又は当該技術における他の形態の何らかの既知の記憶媒体に納められてよい。
【００７６】
上記の実施形態は、本発明に対する限定ではなくむしろ例示である。当業者は、本発明の主旨に従って様々な変更及び変形に想到可能であり、それらの変更及び変形は本発明技術的範囲内にある。
【００７７】
上記の第１の実施例、第２の実施例及び変形例を含む実施形態に関し、さらに以下の付記を開示する。
【００７８】
（付記１）
マルチアンテナ通信システムにおいて使用される通信方法であって、
プレコーディング伝送モードに設定される候補ユーザ設備の第１グループから１の候補ユーザ設備を第１ユーザ設備として選択し、ダイバーシティ伝送モードに設定される候補ユーザ設備の第２グループから１の候補ユーザ設備を第２ユーザ設備として選択し、
階層変調において使用される変調モード、レイヤマッピングにおいて使用される伝送レイヤの数、及びプレコーディングにおいて使用されるプレコーディングマトリクスを、前記第１ユーザ設備によって送信される第１チャネル品質情報、プレコーディングマトリクス情報及び第１伝送レイヤ数と、前記第２ユーザ設備によって送信される第２チャネル品質情報及び第２伝送レイヤ数とに従って決定し、
前記変調モード及び前記伝送レイヤの数に従って、前記第１ユーザ設備へ送信される第１ソースデータから第１シンボルシーケンスを生成し、
前記変調モード及び前記伝送レイヤの数に従って、前記第２ユーザ設備へ送信される第２ソースデータから第２シンボルシーケンスを生成し、
混合シンボルシーケンスを生成するよう、前記変調モードに従って前記第１シンボルシーケンス及び第２シンボルシーケンスを階層変調し、
伝送信号を生成するよう、前記プレコーディングマトリクス及び前記伝送レイヤの数に従って前記混合シンボルシーケンスに対してレイヤマッピング及びプレコーディングを行い、
前記第１ユーザ設備及び前記第２ユーザ設備へ前記伝送信号を送信し、前記第２ユーザ設備に前記プレコーディングマトリクス及び前記伝送レイヤの数を知らせる
通信方法。
【００７９】
（付記２）
前記候補ユーザ設備の選択は、
前記候補ユーザ設備の第１グループ及び前記候補ユーザ設備の第２グループの夫々へリソースを割り当て、夫々の候補ユーザ設備に前記割り当てられるリソースを知らせ、
前記候補ユーザ設備の第１グループの夫々から送信される前記第１チャネル品質情報、前記プレコーディングマトリクス情報及び第１伝送レイヤ数を受信し、前記候補ユーザ設備の第２グループの夫々から送信される前記第２チャネル品質情報及び前記第２伝送レイヤ数を受信し、
前記候補ユーザ設備の第１グループから、該候補ユーザ設備の第１グループの中で最大値を有する第１チャネル品質情報の候補ユーザ設備を前記第１ユーザ設備として選択し、前記候補ユーザ設備の第２グループから、該候補ユーザ設備の第２グループの中で最大値を有する第２チャネル品質情報の候補ユーザ設備を前記第２ユーザ設備として選択する
ことを含む、付記１に記載の通信方法。
【００８０】
（付記３）
前記第２シンボルシーケンスの生成は、
符号化データを生成するよう前記第２ソースデータをエンコーディングし、
前記変調モード及び前記伝送レイヤの数に従って前記第２シンボルシーケンスの長さを計算し、
前記第２シンボルシーケンスを生成するよう、前記長さに従って前記符号化データをレートマッチングする
ことを含む、付記１に記載の通信方法。
【００８１】
（付記４）
前記第２シンボルシーケンスの生成は、
符号化データを生成するよう前記第２ソースデータをエンコーディングし、
第３シンボルシーケンスを生成するよう、前記マルチアンテナ通信システムによって定義されるレートマッチング方式に従って前記符号化データをレートマッチングし、
前記変調モード及び前記伝送レイヤの数に従って前記第２シンボルシーケンスの長さを計算し、
前記長さに従ってエンコーディングモードを選択し、
前記第２シンボルシーケンスを生成するよう、前記エンコーディングモードに従って前記第３シンボルシーケンスをエンコーディングする
ことを含む、付記１に記載の通信方法。
【００８２】
（付記５）
前記エンコーディングモードは、反復符号化、ビットレベル空間時間符号化、ターボ符号化、又は畳み込み符号化である、
付記４に記載の通信方法。
【００８３】
（付記６）
前記変調モード、前記伝送レイヤの数及び前記プレコーディングマトリクスを決定する前に、前記第１ユーザ設備によって送信される前記第１チャネル品質情報、前記プレコーディングマトリクス情報及び前記第１伝送レイヤ数と、前記第２ユーザ設備によって送信される前記第２チャネル品質情報及び前記第２伝送レイヤ数とを受信する、
付記１に記載の通信方法。
【００８４】
（付記７）
前記レイヤマッピングにおいて使用される前記伝送レイヤの数は、前記第１ユーザ設備によって送信される前記第１伝送レイヤ数であり、前記プレコーディングマトリクスは、前記第１ユーザ設備によって送信される前記第１プレコーディングマトリクス情報に対応するプレコーディングマトリクスである、
付記１に記載の通信方法。
【００８５】
（付記８）
前記第２シンボルシーケンスを生成する前に、該第２シンボルシーケンスの生成モードを選択し、
前記第２シンボルシーケンスの生成は、前記選択された生成モードにおいて前記第２シンボルシーケンスを生成することを含む、
付記１に記載の通信方法。
【００８６】
（付記９）
付記１乃至８のうちいずれか一つに記載の通信方法を用いるマルチアンテナ通信システム。
【００８７】
（付記１０）
プレコーディング伝送モードに設定される候補ユーザ設備の第１グループから１の候補ユーザ設備を第１ユーザ設備として選択し、ダイバーシティ伝送モードに設定される候補ユーザ設備の第２グループから１の候補ユーザ設備を第２ユーザ設備として選択するユーザ設備選択部と、
階層変調において使用される変調モード、レイヤマッピングにおいて使用される伝送レイヤの数、及びプレコーディングにおいて使用されるプレコーディングマトリクスを、前記第１ユーザ設備によって送信される第１チャネル品質情報、プレコーディングマトリクス情報及び第１伝送レイヤ数と、前記第２ユーザ設備によって送信される第２チャネル品質情報及び第２伝送レイヤ数とに従って決定するパラメータ決定部と、
前記変調モード及び前記伝送レイヤの数に従って、前記第１ユーザ設備へ送信される第１ソースデータから第１シンボルシーケンスを生成する第１シンボルシーケンス生成部と、
前記変調モード及び前記伝送レイヤの数に従って、前記第２ユーザ設備へ送信される第２ソースデータから第２シンボルシーケンスを生成する第２シンボルシーケンス生成部と、
混合シンボルシーケンスを生成するよう、前記変調モードに従って前記第１シンボルシーケンス及び第２シンボルシーケンスを階層変調する階層変調部と、
伝送信号を生成するよう、前記プレコーディングマトリクス及び前記伝送レイヤの数に従って前記混合シンボルシーケンスに対してレイヤマッピング及びプレコーディングを行うプレコーディング部と、
前記第１ユーザ設備及び前記第２ユーザ設備へ前記伝送信号を送信し、前記第２ユーザ設備に前記プレコーディングマトリクス及び前記伝送レイヤの数を知らせる送信部と
を有する基地局。
【００８８】
（付記１１）
前記候補ユーザ設備選択部は、
前記候補ユーザ設備の第１グループ及び前記候補ユーザ設備の第２グループの夫々へリソースを割り当て、夫々の候補ユーザ設備に前記割り当てられるリソースを知らせるリソース割当部と、
前記候補ユーザ設備の第１グループの夫々から送信される前記第１チャネル品質情報、前記プレコーディングマトリクス情報及び第１伝送レイヤ数を受信し、前記候補ユーザ設備の第２グループの夫々から送信される前記第２チャネル品質情報及び前記第２伝送レイヤ数を受信する受信部と、
前記候補ユーザ設備の第１グループから、該候補ユーザ設備の第１グループの中で最大値を有する第１チャネル品質情報の候補ユーザ設備を前記第１ユーザ設備として選択し、前記候補ユーザ設備の第２グループから、該候補ユーザ設備の第２グループの中で最大値を有する第２チャネル品質情報の候補ユーザ設備を前記第２ユーザ設備として選択する選択部と
を有する、付記１０に記載の基地局。
【００８９】
（付記１２）
前記第２シンボルシーケンス生成部は、
符号化データを生成するよう前記第２ソースデータをエンコーディングするエンコーディング部と、
前記変調モード及び前記伝送レイヤの数に従って前記第２シンボルシーケンスの長さを計算する計算部と、
前記第２シンボルシーケンスを生成するよう、前記長さに従って前記符号化データをレートマッチングするレートマッチ部と
を有する、付記１０に記載の基地局。
【００９０】
（付記１３）
前記第２シンボルシーケンス生成部は、
符号化データを生成するよう前記第２ソースデータをエンコーディングする第１エンコーディング部と、
第３シンボルシーケンスを生成するよう、マルチアンテナ通信システムによって定義されるレートマッチング方式に従って前記符号化データをレートマッチングするレートマッチ部と、
前記変調モード及び前記伝送レイヤの数に従って前記第２シンボルシーケンスの長さを計算する計算部と、
前記長さに従ってエンコーディングモードを選択するエンコーディングモード選択部と、
前記第２シンボルシーケンスを生成するよう、前記エンコーディングモードに従って前記第３シンボルシーケンスをエンコーディングする第２エンコーディング部と
を有する、付記１０に記載の基地局。
【００９１】
（付記１４）
前記エンコーディングモードは、反復符号化、ビットレベル空間時間符号化、ターボ符号化、又は畳み込み符号化である、
付記１３に記載の基地局。
【００９２】
（付記１５）
前記レイヤマッピングにおいて使用される前記伝送レイヤの数は、前記第１ユーザ設備によって送信される前記第１伝送レイヤ数であり、前記プレコーディングマトリクスは、前記第１ユーザ設備によって送信される第１プレコーディングマトリクス情報に対応するプレコーディングマトリクスである、
付記１０に記載の基地局。
【００９３】
（付記１６）
前記第２シンボルシーケンス生成部は、第１サブユニット及び第２サブユニットを有し、
前記第１サブユニットは、
符号化データを生成するよう前記第２ソースデータをエンコーディングするエンコーディング部と、
前記変調モード及び前記伝送レイヤの数に従って前記第２シンボルシーケンスの長さを計算する計算部と、
前記第２シンボルシーケンスを生成するよう前記長さに従って前記符号化データをレートマッチングするレートマッチ部と
を有し、
前記第２サブユニットは、
符号化データを生成するよう前記第２ソースデータをエンコーディングする第１エンコーディング部と、
第３シンボルシーケンスを生成するよう、前記マルチアンテナ通信システムによって定義されるレートマッチング方式に従って前記符号化データをレートマッチングするレートマッチ部と、
前記変調モード及び前記伝送レイヤの数に従って前記第２シンボルシーケンスの長さを計算する計算部と、
前記長さに従ってエンコーディングモードを選択するエンコーディングモード選択部と、
前記第２シンボルシーケンスを生成するよう前記エンコーディングモードに従って前記第３シンボルシーケンスをエンコーディングする第２エンコーディング部と
を有し、
当該基地局は、さらに、前記第２シンボルシーケンスを生成するよう前記第１サブユニット及び前記第２サブユニットの一方を選択する選択部を有する、
付記１０に記載の基地局。
【００９４】
（付記１７）
マルチアンテナ通信システム又は情報処理システムが付記１乃至８のうちいずれか一つに記載の通信方法を実行することを可能にするよう前記マルチアンテナ通信システム又は前記情報処理システムにおいて実行される機械読出可能なプログラムコードを有する記憶媒体。
【００９５】
（付記１８）
マルチアンテナ通信システム又は情報処理システムが付記１乃至８のうちいずれか一つに記載の通信方法を実行することを可能にするよう前記マルチアンテナ通信システム又は前記情報処理システムにおいて実行される機械読出可能なプログラムコードを有するプログラムプロダクト。
【図１】
0005494809.tif 000002
【図２】
0005494809.tif 000003
【図３Ａ】
0005494809.tif 000004
【図３Ｂ】
0005494809.tif 000005
【図４】
0005494809.tif 000006
【図５Ａ】
0005494809.tif 000007
【図５Ｂ】
0005494809.tif 000008
【図６】
0005494809.tif 000009
【図７】
0005494809.tif 000010
【図８】
0005494809.tif 000011
【図９】
0005494809.tif 000012
【図１０】
0005494809.tif 000013
【図１１】
0005494809.tif 000014
【図１２】
0005494809.tif 000015
【図１３】
0005494809.tif 000016
【図１４】
0005494809.tif 000017